(57)【要約】      （修正有）【課題】小型化することができる便器洗浄タンクを提供する。【解決手段】洗浄水を貯留するタンク本体４１と、タンク本体４１の上面に配置されタンク本体４１を覆う蓋部４４と、タンク本体４１及び蓋部４４を覆うタンクカバーと、開閉弁装置６０を有する給水部５と、を備える便器洗浄タンク４であって、開閉弁装置６０は、フロート部本体６３１及び、フロート部本体６３１の上部に接続されるフロート側アーム部６３２を有すると共にタンク本体４１の内部に貯留される洗浄水の水位に連動して上下方向に移動するフロート部材６３を備え、蓋部４４は、フロート側アーム部６３２の上方に形成された開口部４４４を有する。【選択図】図３
2017115450.tif 000002
【特許請求の範囲】
【請求項１】
洗浄水を貯留するタンク本体と、
前記タンク本体の上面に配置され前記タンク本体を覆う蓋部と、
前記タンク本体及び前記蓋部を覆うタンクカバーと、
開閉弁装置を有する給水部と、を備える便器洗浄タンクであって、
前記開閉弁装置は、フロート部本体及び、前記フロート部本体の上部に接続されるフロート側アーム部を有すると共に前記タンク本体の内部に貯留される洗浄水の水位に連動して上下方向に移動するフロート部材を備え、
前記蓋部は、前記フロート側アーム部の上方に形成された開口部を有する便器洗浄タンク。
【請求項２】
前記蓋部は、前記開口部の近傍において、前記蓋部から下方に延びるリブ部を有する請求項１に記載の便器洗浄タンク。
【請求項３】
前記リブ部の下端部は、前記フロート側アーム部が最も下方に位置する場合における前記フロート側アーム部の上端部よりも下方に位置するように配置される請求項２に記載の便器洗浄タンク。
【請求項４】
前記開閉弁装置は、上下方向に交差する方向に延びると共に先端側が前記フロート側アーム部に係合して配置されると共に前記フロート部材の上下方向の移動に連動して基端側を支点として上下方向に移動するアーム部材を備え、
前記リブ部は、前記アーム部材が延びる方向に沿って配置される請求項２又は３に記載の便器洗浄タンク。
【請求項５】
前記蓋部は、前記開口部の上方において前記開口部を覆う天面部を有する請求項１から４のいずれかに記載の便器洗浄タンク。
【発明の詳細な説明】
【技術分野】
【０００１】
本発明は、便器洗浄タンクに関する。
【背景技術】
【０００２】
従来、洗浄水を貯留するタンク本体と、ボールタップ装置（開閉弁装置）を有する給水部と、を備える便器洗浄タンクが知られている（例えば、特許文献１参照）。ボールタップ装置は、タンク本体の内部に貯留される洗浄水の水位に連動して上下方向に移動するフロート部材と、フロート部材の上下方向の移動に連動して移動する操作アーム部材と、操作アーム部材の移動に連動して給水管を開閉可能な給水弁と、を備える。このように構成される便器洗浄タンクにおいては、フロート部材の上下方向の移動より、給水管からタンク本体への給水を制御する。フロート部材は、フロート部本体及び、フロート部本体の上部に接続されるフロート側アーム部を有する。
【先行技術文献】
【特許文献】
【０００３】
【特許文献１】特開２０１３−１３９６８１号公報
【発明の概要】
【発明が解決しようとする課題】
【０００４】
特許文献１に記載の便器洗浄タンクにおいては、タンク本体の内部でフロート部材が上下に移動する。フロート部材のフロート側アーム部材の上端部と蓋部との間には、フロート部材の上下方向の移動範囲を確保するため、クリアランスを必要としていた。そのため、便器洗浄タンクの小型化が難しかった。便器洗浄タンクの小型化が望まれている。
【０００５】
本発明は、小型化することができる便器洗浄タンクを提供することを目的とする。
【課題を解決するための手段】
【０００６】
本発明は、洗浄水を貯留するタンク本体（例えば、後述のタンク本体４１）と、前記タンク本体の上面に配置され前記タンク本体を覆う蓋部（例えば、後述の第２蓋部４４）と、前記タンク本体及び前記蓋部を覆うタンクカバーと、開閉弁装置を有する給水部と、を備える便器洗浄タンク（例えば、後述の便器洗浄タンク４）であって、前記開閉弁装置（例えば、後述のボールタップ装置６０）は、フロート部本体（例えば、後述のフロート部本体６３１）及び、前記フロート部本体の上部に接続されるフロート側アーム部（例えば、後述のフロート側アーム部６３２）を有すると共に前記タンク本体の内部に貯留される洗浄水の水位に連動して上下方向に移動するフロート部材（例えば、後述のフロート部材６３）を備え、前記蓋部は、前記フロート側アーム部の上方に形成された開口部（例えば、後述の開口部４４４）を有する便器洗浄タンクに関する。
【０００７】
また、前記蓋部は、前記開口部の近傍において、前記蓋部から下方に延びるリブ部（例えば、後述のリブ部４４５）を有することが好ましい。
【０００８】
また、前記リブ部の下端部は、前記フロート側アーム部が最も下方に位置する場合における前記フロート側アーム部の上端部よりも下方に位置するように配置されることが好ましい。
【０００９】
また、前記開閉弁装置は、上下方向に交差する方向に延びると共に先端側が前記フロート側アーム部に係合して配置されると共に前記フロート部材の上下方向の移動に連動して基端側を支点として上下方向に移動するアーム部材（例えば、後述の操作アーム部材６４）を備え、前記リブ部は、前記アーム部材が延びる方向に沿って配置されることが好ましい。
【００１０】
また、前記蓋部は、前記開口部の上方において前記開口部を覆う天面部を有することが好ましい。
【発明の効果】
【００１１】
本発明によれば、小型化することができる便器洗浄装置を提供することができる。
【図面の簡単な説明】
【００１２】
【図１】本発明の第１実施形態に係る便器装置１を示す斜視図である。
【図２】本発明の第１実施形態に係る便器洗浄タンク４において、タンク本体４１を前方側から視た斜視図である。
【図３】本発明の第１実施形態に係るタンク本体４１及びタンク本体４１の内部の構成を示す断面図である。
【図４】ボールタップ装置６０の主な構成を示す左右方向の断面図であって、フロート部材６３が最も下方に位置する場合を示す図である。
【図５】ボールタップ装置６０の主な構成を示す前後方向の断面図である。
【図６】第２蓋部４４を上方側から視た斜視図である。
【図７】第２蓋部４４を下方側から視た斜視図である。
【図８】本発明の第２実施形態に係る便器装置１Ａを示す斜視図である。
【発明を実施するための形態】
【００１３】
以下、本発明の便器装置１の第１実施形態について、図面を参照しながら説明する。以下の説明においては、便器装置１の便座（図示せず）に座った人から視た場合の前後の向きを前後方向とする。また、便器装置１の便座（図示せず）に座った人から視た場合の左右の向きを左右方向とする。また、鉛直方向に沿った上下の向きを上下方向とする。
【００１４】
本実施形態の便器装置１は、図１〜図３に示すように、便器洗浄装置１０と、便器２と、便座（図示せず）と、便蓋２ｂと、を備える。便器洗浄装置１０は、便器洗浄タンク４と、ベースプレート３と、補給水吐水機構６と、を備える。
便器洗浄タンク４は、上部カバー８ａと、タンク蓋部４２と、タンク本体４１と、洗浄駆動ユニット７と、給水部５と、オーバーフロー管４６と、を備える。
【００１５】
便器２は、便器本体２ａと、一対の側部カバー８ｂ，８ｂと、を備える。一対の側部カバー８ｂ，８ｂは、図１に示すように、便器本体２ａの後方の左右方向の両側の側部を塞ぐように形成される。
便座（図示せず）及び便蓋２ｂは、便器本体２ａの上部に、便器本体２ａに対して回動可能に取り付けられる。
【００１６】
ベースプレート３は、図１に示すように、便器本体２ａの後方の上面に取り付けられる。ベースプレート３の上方には、タンク本体４１が配置される。
【００１７】
タンク本体４１は、ベースプレート３の上方において、便器２の後方かつ上方に配置され、便器本体２ａを洗浄する洗浄水を貯留する。便器洗浄タンク４に内装される。タンク本体４１の上部には、タンク蓋部４２が配置されている。タンク本体４１及びタンク蓋部４２は、タンクカバー２０に覆われている。
【００１８】
タンク本体４１は、洗浄水を貯留する。タンク本体４１は、図２及び図３に示すように、上面が開口して形成され、底部４１１と、底部４１１の周縁から立ち上がり周囲を囲むように形成される周壁４１２と、を備える。
【００１９】
タンク本体４１の底部４１１には、排水弁４８により開閉される排水口４１１ａが形成されている。排水弁４８を引き上げて排水口４１１ａを開放することにより、タンク本体４１の内部に貯留された洗浄水が排水口４１１ａから流出して便器本体２ａに供給され、便器本体２ａが洗浄される。排水弁４８には、玉鎖４０１を介して洗浄駆動ユニット７に接続されており、例えば、操作ボタンの操作により、洗浄駆動ユニット７が駆動されて、排水弁４８は、開閉される。
【００２０】
洗浄駆動ユニット７は、便器２の洗浄時に駆動する。洗浄駆動ユニット７は、モータ回転軸部材７ｂを有するモータ７ａを備える。
【００２１】
例えば、操作ボタン（図示せず）を操作することで、洗浄駆動ユニット７のモータ７ａの回転軸７ｂを回転させる。これにより、玉鎖４０１は、上方向に作用する吊上げ力で、排水弁４８を排水口４１１ａから引き上げる。なお、操作部は、このような外部操作に応答するものに替えて、人体検知センサー（人感センサー）の検出出力に基づいて洗浄駆動ユニット７を動作させることもできる。この場合には、いわゆる、自動洗浄が可能になる。
【００２２】
タンク本体４１の内部には、図３に示すように、鉛直方向に延びるオーバーフロー管４６が設けられている。オーバーフロー管４６は、上部に開口部４６ａを有する。開口部４６ａは、オーバーフロー管４６の上端において、タンク本体４１に貯留される洗浄水の水位の上限に合わせた高さで開口する。オーバーフロー管４６の下端側は、排水口４１１ａに連通している。
【００２３】
給水部５は、図２及び図３に示すように、便器洗浄タンク４に備えられる。給水部５は、給水流路部５１と、開閉弁装置としてのボールタップ装置６０と、を備える。給水部５には、外部の給水源（図示せず）に接続される給水管５０１が接続されている。
【００２４】
給水流路部５１は、主流路部５１１と、分岐流路部５１２と、を有する。
主流路部５１１は、タンク本体４１の内部を通る。主流路部５１１は、給水部５から給水された洗浄水を、タンク本体４１に供給する。主流路部５１１の下流側端部には、洗浄水吐水部５１１ａが設けられている。洗浄水吐水部５１１ａは、図３に示すように、タンク本体４１の内部に水を吐出する。
【００２５】
分岐流路部５１２は、主流路部５１１から分岐して、タンク本体４１の外部を通る。分岐流路部５１２は、給水部５から給水された洗浄水を、便器本体２ａに補給する補給水として、ベースプレート３（図１参照）に吐出する。分岐流路部５１２は、下流側の端部において、補給水をベースプレート３に吐出する補給水吐水部（図示せず）が設けられている。
【００２６】
ボールタップ装置６０は、図３〜図５に示すように、給水弁６１と、ボールタップカップ６２と、フロート部材６３と、アーム部材としての操作アーム部材６４と、浮き閉止部材６５と、を備える。
【００２７】
ボールタップカップ６２は、円形状の底部連通孔６２１ａが形成された底部６２１を有し、一方の側部の上方側の部分が側方に向けて開放し且つ上方が開放した方形筒状に形成される。ボールタップカップ６２の内部には、洗浄水が貯留される。ボールタップカップ６２の内部には、後述するフロート部材６３のフロート部本体６３１が配置される。ボールタップカップ６２に貯留された洗浄水の水位が上下することに連動して、フロート部材６３は、上下方向に移動する。
【００２８】
浮き閉止部材６５は、ボールタップカップ６２の底部連通孔６２１ａに配置される。浮き閉止部材６５は、浮力を有しており、タンク本体４１に貯留される洗浄水の水位に連動して上下方向に移動する。
【００２９】
タンク本体４１に貯留される洗浄水の水位がボールタップカップ６２の底部６２１の高さよりも高い場合には、浮き閉止部材６５が浮力により浮き上がって、ボールタップカップ６２の底部連通孔６２１ａが浮き閉止部材６５により閉止される。タンク本体４１に貯留される洗浄水の水位がボールタップカップ６２の底部６２１の高さよりも低い場合には、浮き閉止部材６５が下降して、底部連通孔６２１ａと浮き閉止部材６５との間に隙間が形成される。
【００３０】
フロート部材６３は、ボールタップカップ６２に貯留された洗浄水の水位に連動して上下方向に移動する。ボールタップカップ６２に貯留された洗浄水は、タンク本体４１の内部に貯留される洗浄水の水位に連動して上下方向に移動する。そのため、フロート部材６３は、タンク本体４１の内部に貯留される洗浄水の水位に連動して上下方向に移動する。フロート部材６３は、フロート部本体６３１と、フロート側アーム部６３２と、を有する。
【００３１】
フロート部本体６３１は、ボールタップカップ６２の内部に配置される。フロート部本体６３１は、上部が閉鎖されかつ下部が開放する方形箱状に形成される。
フロート側アーム部６３２は、フロート部本体６３１の上部に接続される。フロート側アーム部６３２は、上下方向に延びる。フロート側アーム部６３２には、複数の貫通穴６３２ａが形成される。複数の貫通穴６３２ａは、フロート側アーム部６３２の上下方向に並んで配置される。操作アーム部材６４をフロート部材６３に取り付ける際に、複数の貫通穴６３２ａのうち、操作アーム部材６４の先端部側を挿入する貫通穴６３２ａを選択することができる。貫通穴６３２ａを選択することで、給水弁６１が開状態に作動する時間を調整することができる。
【００３２】
操作アーム部材６４は、給水弁６１とフロート部材６３とを接続する。操作アーム部材６４は、上下方向に交差する方向に延びる。操作アーム部材６４は、図５に示すように、基端側が給水弁６１の下部の接続支持部６１１に接続され、先端側がフロート部材６３のフロート側アーム部６３２に係合されている。操作アーム部材６４は、フロート部材６３の上下方向の移動に連動して基端側を支点として上下方向に移動する。本実施形態においては、操作アーム部材６４の先端側は、図３及び図４に示すように、フロート側アーム部６３２の一番上の貫通穴６３２ａに挿入されて、フロート側アーム部６３２に係合されている。
【００３３】
操作アーム部材６４は、先端側が上下方向に移動することにより、給水弁６１の接続支持部６１１を前後方向に移動させて、給水弁６１を作動させる。
【００３４】
給水弁６１は、図２及び図３に示すように、給水管５０１に設けられる。給水弁６１は、操作アーム部材６４に接続される。給水弁６１は、タンク本体４１へ給水を行う開状態又はタンク本体４１への給水を停止する閉状態に開閉可能である。給水弁６１は、フロート部材６３がボールタップカップ６２の内部の所定位置よりも下方に位置する場合に、開状態となる。給水弁６１は、フロート部材６３がボールタップカップ６２の内部において所定位置よりも上方に位置する場合に、閉状態となる。
【００３５】
操作アーム部材６４は、図５に示すように、略Ｕ字状に形成されるＵ字状部分６４１と、Ｕ字状部分６４１に接続される直線状部分６４２と、を有する。
【００３６】
Ｕ字状部分６４１は、給水弁６１の後端の接続支持部６１１から便器洗浄タンク４の後方側に向かい、且つ、所定位置で湾曲して前方側に折り返される略Ｕ字状に形成される。
直線状部分６４２は、Ｕ字状部分６４１の給水弁６１とは反対側の端部から、フロート部材６３のフロート側アーム部６３２の上端側の貫通穴６３２ａまで延びる。直線状部分６４２は、フロート側アーム部６３２が延びる上下方向に交差する方向に延びて形成される。つまり、本実施形態においては、直線状部分６４２は、平面視において、便器洗浄タンク４の前後方向に延びる。詳細には、タンク本体４１が満水の状態であって給水弁６１が止水した状態において、直線状部分６４２は、Ｕ字状部分６４１の給水弁６１とは反対側の端部から、後方から前方に向かうに従って、上方に向かうように傾斜して延びる。
【００３７】
このように構成される操作アーム部材６４は、先端部側が、フロート側アーム部６３２の上端側の貫通穴６３２ａに挿入されることで、図３及び図４に示すように、フロート側アーム部６３２に係合される。操作アーム部材６４は、フロート部材６３の上下方向の移動に連動して移動する。これにより、操作アーム部材６４は、上下方向及び便器洗浄タンク４の前後方向に沿って揺動する。
【００３８】
以上のボールタップ装置６０によれば、タンク本体４１に貯留された洗浄水の水位に応じて、給水弁６１の開閉を操作して、給水管５０１（図３参照）からタンク本体４１へ流入する洗浄水の給水を開始又は停止させる。具体的には、フロート部材６３がボールタップカップ６２の内部の所定位置より下方に移動することで、操作アーム部材６４が揺動されて、給水弁６１が開状態となり、タンク本体４１への給水が行われる。また、フロート部材６３がボールタップカップ６２の内部において所定位置より上方に移動することで、操作アーム部材６４が揺動されて、給水弁６１が閉状態となり、タンク本体４１への給水が停止される。
【００３９】
次に、タンク蓋部４２について説明する。
タンク蓋部４２は、図２〜図７に示すように、タンク本体４１の上面に配置され、タンク本体４１の上面を覆う。タンク蓋部４２は、第１蓋部４３と、第２蓋部４４と、を有する。第１蓋部４３及び第２蓋部４４は、板状に形成され、タンク本体４１の上面を覆う。第１蓋部４３及び第２蓋部４４は、便器洗浄タンク４の左右方向に並んで配置される。
【００４０】
第１蓋部４３は、便器洗浄タンク４の左右方向の一方側（図２及び図３における右側）において、タンク本体４１の上面に配置される。第１蓋部４３には、洗浄駆動ユニット７のモータ７ａが取り付けられている。
【００４１】
第２蓋部４４は、便器洗浄タンク４の左右方向の他方側（図２及び図３における左側）において、タンク本体４１の上面に配置される。第２蓋部４４は、第１蓋部４３よりも左右方向の長さが長く形成される。
【００４２】
第２蓋部４４は、図６及び図７に示すように、平面部４４１と、平面部４４１に向かって緩やかに下り傾斜した複数の傾斜部４４２と、導入部４４３と、開口部４４４と、一対のリブ部４４５，４４５と、を有する。導入部４４３は、平面部４４１及び傾斜部４４２を流れた水を、導入部４４３を介して、タンク本体４１に導入する。導入部４４３は、平面部４４１及び傾斜部４４２よりも下方に窪んで形成され、傾斜部４４２と略同じ傾斜角度で傾斜した傾斜面４４３ａと、傾斜面４４３ａの下端部に形成された導入開口４４３ｂと、を有する。
【００４３】
開口部４４４は、図３〜図５に示すように、フロート部材６３のフロート側アーム部６３２の上方に形成される。開口部４４４は、図６に示すように、上方側から視て矩形状に形成され、第２蓋部４４を貫通する。開口部４４４は、傾斜部４４２と平面部４４１とに跨って設けられる。
【００４４】
開口部４４４の上下方向の位置は、フロート側アーム部６３２が最も上方に配置された場合において、フロート側アーム部６３２の上端部６３２ｂが開口部４４４の周縁の第２蓋部４４の位置よりも突出する位置に形成される。
【００４５】
一対のリブ部４４５，４４５は、開口部４４４の近傍において、第２蓋部４４から下方に延びる。本実施形態においては、一対のリブ部４４５，４４５は、矩形状の開口部４４４を便器洗浄タンク４の左右方向に挟んで、第２蓋部４４における開口部４４４の前後方向に延びる一対の縁部に設けられる。また、一対のリブ部４４５，４４５は、開口部４４４の縁部から連続して下方へ延びて形成されている。
【００４６】
なお、「開口部４４４の近傍」は、第２蓋部４４における開口部４４４の縁部に限られない。「開口部４４４の近傍」とは、第２蓋部４４における開口部４４４の縁部から第２蓋部４４の内部側に離れていてもよく、フロート側アーム部６３２が斜めに傾いて上昇した場合に、フロート側アーム部６３２の上端部が開口部４４４に挿入されることをガイドすることが可能な程度に、開口部４４４に近い位置を意味する。
【００４７】
一対のリブ部４４５，４４５は、第２蓋部４４における開口部４４４の前後方向に延びる一対の縁部において、便器洗浄タンクの左右方向に離間して、互いに対向して配置される。一対のリブ部４４５，４４５は、それぞれ、板状に形成され、便器洗浄タンクの前後方向及び上下方向に延びる。リブ部４４５は、操作アーム部材６４が延びる方向である便器洗浄タンクの前後方向に沿って配置される。
【００４８】
リブ部４４５の下端部４４５ａの位置（図４における高さＨ１）は、図４に示すように、フロート側アーム部６３２が最も下方に位置する場合において、フロート側アーム部６３２の上端部６３２ｂよりも下方に位置（図４における高さＨ２）するように配置される。
【００４９】
上部カバー８ａは、図１に示すように、タンク本体４１及び他の機能部品を覆うように形成される。
【００５０】
次に、本実施形態に係る便器洗浄タンク４の動作について説明する。
タンク本体４１に貯留された洗浄水を、便器本体２ａ側に放出（供給）する動作について説明する。
【００５１】
まず、タンク本体４１に洗浄水が貯留された状態においては、フロート部材６３が上昇しており、フロート部材６３のフロート側アーム部６３２が開口部４４４に挿入された状態である。つまり、フロート部材６３のフロート側アーム部６３２の上端は、図２及び図３に示すように、開口部４４４を介して、第２蓋部４４の上方へ突出している。
【００５２】
この状態で、操作ボタン（図示せず）を操作すると、図３を参照すると、洗浄駆動ユニット７のモータ７ａの回転軸７ｂが回転して、玉鎖４０１は上方向に作用する吊上げ力で、排水弁４８を引き上げる。そのため、排水弁４８は、排水口４１１ａを所定時間開放する。これにより、タンク本体４１に貯留された洗浄水は、排水口４１１ａを介して便器本体２ａに放出される。
【００５３】
これにより、タンク本体４１に貯留された洗浄水は下降していく。洗浄水の水位は、ボールタップカップ６２の開放側の上端部６２２までは、ボールタップカップ６２の内部及び外部において、同じ高さで下降する。
【００５４】
洗浄水の水位がボールタップカップ６２の開放側の上端部６２２からボールタップカップ６２の底部６２１までの間においては、ボールタップカップ６２の底部連通孔６２１ａは、浮き閉止部材６５が浮力により上昇することで、浮き閉止部材６５により閉止されている。そのため、ボールタップカップ６２の内部に貯留された洗浄水は、ボールタップカップ６２の上端部６２２の高さの水位で維持される。フロート部材６３は、洗浄水に浮いた状態であり、上下方向の位置が維持されている。
【００５５】
洗浄水の水位がボールタップカップ６２の底部６２１よりも低くなると、浮き閉止部材６５は、洗浄水の水位の低下と共に下降する。これにより、ボールタップカップ６２の底部連通孔６２１ａと浮き閉止部材６５との間には、隙間が形成される。そして、この隙間から、ボールタップカップ６２の内部の洗浄水は、ボールタップカップ６２の外部へ流れ出る。これにより、ボールタップカップ６２の内部の洗浄水の水位が下降して、フロート部材６３が下降する。そして、フロート部材６３のフロート側アーム部６３２の上端部は、第２蓋部４４の開口部４４４を下方に移動する。
【００５６】
フロート部材６３が下降すると、フロート側アーム部６３２に連結された操作アーム部材６４は揺動する。そして、フロート部材６３がボールタップカップ６２の内部の所定位置よりも下方に下降すると、給水弁６１を閉状態から開状態に作動させて、給水管５０１（図２及び図３参照）は、タンク本体４１へ洗浄水の給水を行う。
【００５７】
ここで、ボールタップカップ６２の内部において、フロート部材６３は、上下方向の移動範囲において、最も下方まで移動する。フロート部材６３が最も下方まで移動する場合において、図４に示すように、フロート部材６３のフロート側アーム部６３２の上端部６３２ｂは、第２蓋部４４の開口部４４４を下方に移動して、第２蓋部４４の開口部４４４よりも下方に位置する。フロート側アーム部６３２の上端部６３２ｂは、フロート部材６３が最も下方に位置する場合において、第２蓋部４４のリブ部４４５の下端部４４５ａよりも上方に位置する。言い換えると、リブ部４４５の下端部４４５ａの位置（図４における高さＨ１）は、図４に示すように、フロート側アーム部６３２が最も下方に位置する場合において、フロート側アーム部６３２の上端部６３２ｂよりも下方に位置（図４における高さＨ２）する。
【００５８】
そして、タンク本体４１に貯留された洗浄水を排水口４１１ａを介して便器本体２ａへ放出している間、タンク本体４１には、給水管５０１（図２及び図３参照）から新たな洗浄水が給水される。ここでは、タンク本体４１に新たに給水された洗浄水についても、排水口４１１ａを介して便器本体２ａへ放出される。
【００５９】
このように、排水弁４８を開状態とした後において、給水弁６１を開状態とするまでの時間を遅延させることで、排水弁４８を開状態とすると同時に給水弁６１を開状態とするよりも、便器本体２ａへ放出（供給）する水を節水することができる。
【００６０】
その後、排水弁４８が閉状態となることで、排水口４１１ａが閉じられ、タンク本体４１の内部に貯留された洗浄水の便器本体２ａへの放出は停止する。
【００６１】
そして、給水管５０１（図２及び図３参照）から洗浄水が供給される。タンク本体４１の内部には、洗浄水が貯留されていく。そして、タンク本体４１に貯留された洗浄水の水位は、徐々に上昇する。洗浄水の水位がボールタップカップ６２の底部６２１に達すると、浮き閉止部材６５が浮力により上昇して、底部連通孔６２１ａは、浮き閉止部材６５により閉止される。これにより、ボールタップカップ６２の内部に洗浄水が入らない状態で、タンク本体４１における洗浄水の水位は上昇していく。
【００６２】
洗浄水の水位がボールタップカップ６２の開放側の上端部６２２まで上昇すると、ボールタップカップ６２の内部には、洗浄水が流れ込む。そして、ボールタップカップ６２の内部に貯留された洗浄水の水位は上昇する。そのため、ボールタップカップ６２の内部に配置されたフロート部材６３は、ボールタップカップ６２の底部６２１側から上昇していく。これにより、図２及び図３に示すように、フロート部材６３のフロート側アーム部６３２の上端部６３２ｂは、第２蓋部４４の下方から、開口部４４４に挿入されて、第２蓋部４４の上方に突出する位置に移動する。そして、フロート部材６３の上方への移動により操作アーム部材６４が連動して上方へ揺動されることにより、給水弁６１は、開状態から閉状態に作動される。このため、給水管５０１によるタンク本体４１への給水が停止する。
【００６３】
以上説明した本実施形態の便器洗浄タンク４によれば、以下のような効果を奏する。
本実施形態の便器洗浄タンク４は、洗浄水を貯留するタンク本体４１と、タンク本体４１の上面に配置されタンク本体４１を覆う第２蓋部４４と、タンク本体４１及び第２蓋部４４を覆うタンクカバー２０と、ボールタップ装置６０を有する給水部５と、を備え、ボールタップ装置６０は、フロート部本体６３１及び、フロート部本体６３１の上部に接続されるフロート側アーム部６３２を有すると共にタンク本体４１の内部に貯留される洗浄水の水位に連動して上下方向に移動するフロート部材６３を備え、第２蓋部４４は、フロート側アーム部６３２の上方に形成された開口部４４４を有する。
そのため、フロート部材６３が上方側に移動する場合に、フロート側アーム部６３２の上端部を、開口部４４４を介して、第２蓋部４４の上方に突出させることができる。これにより、便器洗浄タンク４の第２蓋部４４を低い位置に配置することができる。従って、便器洗浄タンク４を小型化することができる。これにより、便器洗浄装置１０を小型化することができる。
【００６４】
また、本実施形態の第２蓋部４４は、開口部４４４の近傍において、第２蓋部４４から下方に延びるリブ部４４５を有する。そのため、フロート部材６３が上昇してフロート側アーム部６３２が開口部４４４に挿入される場合に、例えば、フロート側アーム部６３２が斜めに傾いて上昇したとしても、フロート側アーム部６３２がリブ部４４５によりガイドされ、フロート側アーム部６３２を開口部４４４に導くことができる。
【００６５】
また、本実施形態のリブ部４４５の下端部４４５ａは、フロート側アーム部６３２が最も下方に位置する場合におけるフロート側アーム部６３２の上端部６３２ｂよりも下方に位置するように配置される。そのため、フロート部材６３は、最も下方から上方に上昇して開口部４４４に挿入される際に、フロート側アーム部６３２の上端部６３２ｂは、リブ部４４５に対して開口部４４４側に導かれる。従って、例えば、フロート側アーム部６３２が斜めに傾いて上昇したとしても、リブ部４４５により、フロート側アーム部６３２を開口部４４４に導くことができる。
【００６６】
また、本実施形態においては、ボールタップ装置６０は、上下方向に交差する方向に延びると共に先端側がフロート側アーム部６３２に係合して配置されると共にフロート部材６３の上下方向の移動に連動して基端側を支点として上下方向に移動する操作アーム部材６４を備え、リブ部４４５は、操作アーム部材６４が延びる方向に沿って配置される。そのため、操作アーム部材６４は、フロート部材６３の上下方向の移動に連動して、上下方向及び便器洗浄タンク４の前後方向に沿って揺動する。これにより、リブ部４４５は、操作アーム部材６４の移動を妨げない位置に配置される。従って、リブ部４４５を設けても、操作アーム部材６４の移動の際に、操作アーム部材６４がリブ部４４５に引っ掛かることを防止できる。
【００６７】
次に、本発明の第２実施形態に係る便器装置１Ａの構成について、図８を参照して説明する。なお、第２実施形態では、主に第１実施形態との相違点について説明する。第２実施形態では、第１実施形態と同一又は同等の構成については同じ符号を付して説明する。また、第２実施形態では、第１実施形態と重複する説明を適宜に省略する。
【００６８】
図８に示すように、第２実施形態に係る便器装置１Ａにおいては、第１実施形態の便器装置１に比べて、手洗い部１８を備える点が主に異なる。
【００６９】
第２実施形態の便器装置１Ａは、上部カバー８ａの構成に代えてタンクカバー２０を備える。また、第１実施形態の便器装置１の構成に加えて、手洗い部１８を備える。
タンクカバー２０は、図８に示すように、タンク本体４１及びタンク蓋部４２を覆うように、タンク本体４１及びタンク蓋部４２に被せられる。タンクカバー２０は、上部カバー部２１と、下部カバー部２２と、を有する。
手洗い部１８は、タンクカバー２０の上部カバー部２１に設けられている。手洗い部１８は、手洗いボウル部１８ａと、手洗い吐水部１８ｂと、を備える。
【００７０】
第２実施形態によれば、第１実施形態と同様の効果を奏する。つまり、手洗い部１８を備える便器装置１Ａにおいても、便器洗浄タンク４を小型化することができ、便器装置１Ａの全体を小型化することができる。
【００７１】
以上、本発明の便器装置１の好ましい実施形態について説明したが、本発明は、上述した実施形態に制限されるものではなく、適宜変更が可能である。
【００７２】
前記実施形態においては、第２蓋部４４の開口部４４４を、第２蓋部４４を貫通する穴状に形成したが、これに限定されない。第２蓋部４４の開口部４４４は、例えば、第２蓋部４４の前方側から切り欠かれた切り欠きであってもよい。即ち、本実施形態の開口部４４４には、穴状の開口だけでなく、切り欠き状の開口も含まれる。
【００７３】
前記実施形態においては、第２蓋部４４の開口部４４４をタンク本体４１の上方の外部側から見えるように露出して形成したが、これに限定されない。例えば、第２蓋部４４は、開口部４４４の上方において開口部４４４を覆う天面部を有していてもよい。天面部は、例えば、第２蓋部４４の上方側に突出するような箱状に形成され、側面部及び天面部の全部を塞ぐ箱状であってもよいし、側面部又は天面部の一部が開放される箱状であってもよい。側面部を開口部４４４の縁部から連続して上方側に突出して形成すると、開口部４４４から突出するフロート側アーム部６３２の上端部６３２ｂが配置されるスペースを確保しやすい。このように構成することで、第２蓋部４４の開口部４４４が覆われた状態で、フロート側アーム部６３２が上下方向に移動するスペースを確保しつつ、便器洗浄タンク４を小型化することができ、便器装置１を小型化することができる。
【符号の説明】
【００７４】
４  便器洗浄タンク
２０  タンクカバー
４１  タンク本体
４４  第２蓋部（蓋部）
６０  ボールタップ装置（開閉弁装置）
６３  フロート部材
６４  操作アーム部材（アーム部材）
４４４  開口部
４４５  リブ部
４４５ａ  リブ部の下端部
６３１  フロート部本体
６３２  フロート側アーム部
６３２ｂ  フロート側アーム部の上端部
【図１】
2017115450.tif 000003
【図２】
2017115450.tif 000004
【図３】
2017115450.tif 000005
【図４】
2017115450.tif 000006
【図５】
2017115450.tif 000007
【図６】
2017115450.tif 000008
【図７】
2017115450.tif 000009
【図８】
2017115450.tif 000010